(57)【特許請求の範囲】
【請求項１】
ＡＬＣ板，押出し成形板，ＰＣ板の中から選択された非圧縮性壁材とグラスウール，ロックウール，セラミックファイバーブランケットの中から選択された圧縮性壁材とを重ね合せると共に非圧縮性壁材と圧縮性壁材とが互い違いになるように配置されてなる複合間仕切壁の上部を建物の構造体下面に取り付ける構造において、
前記建物の構造体下面に取り付けられ、前記複合間仕切壁の厚さの幅の天板と両側板を有し、断面コ字状となったランナーと、
内側に前記圧縮性壁材の上部を収容して、非圧縮性壁材の上部に固定され、前記ランナーの天板の幅から非圧縮性壁材の厚さ分を差し引いた幅の天板と両側板を有する、断面コ字状となったスライドスペーサとからなり、
前記非圧縮性壁材の上部と、前記スライドスペーサとが、前記ランナーの内側に、スライド可能に支持されていることを特徴とする複合間仕切壁の上部取付構造。
【請求項２】
前記ランナーの側板の内面と、前記スライドスペーサの側板の外面との間に摩擦係数の小さい滑り部材を介在させたことを特徴とした請求項１に記載した複合間仕切壁の上部取付構造。
【発明の詳細な説明】
【０００１】
【発明の属する技術分野】
本発明は、複合間仕切壁の上部取付構造に関する。
【０００２】
【従来の技術】
従来の複合間仕切板の上部取付構造としては、例えば、実公昭５５−１６００８号公報に記載される技術が知られている。
【０００３】
図４を用いて、この従来工法を簡単に説明すると、以下の通りとなる。図４（ａ）は、同工法により構築された複合間仕切壁の側断面図であり、図４（ｂ）は、同複合間仕切壁の平断面図である。
【０００４】
すなわち、従来の複合間仕切壁は、建物の構造体である天井４、及び床５のそれぞれに、ランナー２、２を対向させて配置し、これを釘等の留金具６によって固定する。そして、石膏ボードをその表面に形成したＶ溝に沿って折り曲げて形成した、断面口型となる中空パネル７を、スペーサ１３を介在させながらランナー２、２間に建て込んでいく。上部中空パネル７位置に配置されたスペーサ１３は、配置位置を保持するために、ランナー２にタイトに固定される。
【０００５】
この際、複数の中空パネル７は、交互に壁の厚さ方向の一方にずらして、千鳥状に配置していき、その間にシート状の繊維質材料８を、中空パネル７の間を蛇行させて配置していく。このように配置した中空パネル７、繊維質材料８の両側にはボード１１、１２を２重に張りつけている。
【０００６】
【発明が解決しようとする課題】
しかしながら、上記した従来技術では、繊維質材料８、中空パネル７の上部がスペーサ１３により、タイトで動きにくく、これに伴って中空パネル７、及び繊維質材料８は壁の面方向に動く自由度がないため、地震の際、または交通振動によっても、建物の構造体が変形すると、その慣性力等により、複合間仕切壁の上部構造に力が集中し、この部分が破壊される可能性があった。
【０００７】
そこで本発明は、地震や交通振動で建物の構造体が変形しても、複合間仕切壁とランナーとの間で両者の移動を許容し、この上部取付構造が破損しにくい構造を提案することを目的とする。
【０００８】
【課題を解決するための手段】
本発明は、ＡＬＣ板，押出し成形板，ＰＣ板の中から選択された非圧縮性壁材とグラスウール，ロックウール，セラミックファイバーブランケットの中から選択された圧縮性壁材とを重ね合せると共に非圧縮性壁材と圧縮性壁材とが互い違いになるように配置されてなる複合間仕切壁の上部を建物の構造体下面に取り付ける構造において、前記建物の構造体下面に取り付けられ、前記複合間仕切壁の厚さの幅の天板と両側板を有し、断面コ字状となったランナーと、内側に前記圧縮性壁材の上部を収容して、非圧縮性壁材の上部に固定され、前記ランナーの天板の幅から非圧縮性壁材の厚さ分を差し引いた幅の天板と両側板を有する、断面コ字状となったスライドスペーサとからなり、前記非圧縮性壁材の上部と、前記スライドスペーサとが、前記ランナーの内側に、スライド可能に支持されていることを特徴とする複合間仕切壁の上部取付構造を構成して上記課題を解決している。
【０００９】
また、前記ランナーの側板の内面と、前記スライドスペーサの側板の外面との間に摩擦係数の小さい滑り部材を介在させる構造とすることもできる。
【００１０】
【発明の実施の形態】
本発明の実施例を図１乃至図３に基づいて説明する。本実施例は、非圧縮性壁材と、圧縮性壁材とからなる複合間仕切壁を、上階床スラブ下面（天井）と下階床スラブとの間に配置する構造について説明する。図１は複合間仕切壁を建物の上階床スラブ及び下階床スラブ間に取り付けた部分断面斜視図であり、図２は複合間仕切壁の取り付け構造を示す上部の側断面図である。また、図３は、図２のＡ−Ａ線における複合間仕切壁の平断面図である。
【００１１】
図１に示すように、複合間仕切壁１は、圧縮性壁材８と非圧縮性壁材７とを重ね合わせると共に非圧縮性壁材７と圧縮性壁材８とが互い違いになるように配置されて形成される。圧縮性壁材８は、その材料としてグラスウール、ロックウール、セラミックファイバーブランケット等によって構成される。また、非圧縮性壁材７としては、ＡＬＣ板、押出し成形板、ＰＣ板等が使用される。
【００１２】
建物の構造体である上階床スラブの下面４には、長尺の金属製レールである上部ランナー２を釘等の留金具６等を用いて固定している。図１及び図２に示すように、上部ランナー２は、所定の幅を有する天板２ａと、幅方向の両側縁が立ち上がった側板２ｂ、２ｂとから構成され、断面コ字状となっている。両側に側板２ｂ、２ｂが立ち上がった天板２ａの内面は、非圧縮性壁材７の厚さと、後述するスライドスペーサ９の幅とを合わせた幅を有する。
【００１３】
また、下階床スラブ５の上面には、やはり長尺の金属製レールである下部ランナー３を、図示しない釘を用いて固定している。図１に示すように、下部ランナー３は、板体３ａとその一方の側縁が立ち上がった側板３ｂとによって構成される。
【００１４】
非圧縮性壁材７の上部側面には、圧縮性壁材８を取り付けるための空間を保持するスライドスペーサ９を固定している。スライドスペーサ９は、天板９ａと、両側縁が立ち上がった側板９b1、９b2とを有し、断面コ字状となった金具である。一方の側板９b1は、他方の側板９b2に比べて長く、同側板９b1を非圧縮性壁材７の側面に、釘やビス、ボルトやステープル等の留金具１０を用いて止めつけている。スライドスペーサ９の両側板９b1、９b2間の幅は、圧縮性壁材８の幅と略同じ幅か、若しくは若干狭い幅を有する。なお、側板９b1、９b2の間の幅を圧縮性壁材８の幅より大きくし、圧縮性壁材８の上部を囲む補強部材を設けたり、圧縮性壁材８と側板９b1、９b2の間にスペーサを配置することもできる。
【００１５】
なお、これら上部ランナー２、下部ランナー３、スライドスペーサ９の材質は、一般構造用圧延鋼材、溶融亜鉛メッキ鋼板、一般構造用軽量鋼等が選択されるが、所定の強度を有せば強化合成樹脂等を用いることができる。
【００１６】
施工に当たっては、上部ランナー２の両側板２ｂ、２ｂ間に非圧縮性壁材７と圧縮性壁材８とを重ね合わせ、この上端をはめ込む。一方、下端は、下部ランナー３の側板３ｂに押し付けるように位置決めし、補助金具１４を用いて非圧縮性壁材７の下端を固定する。この際、非圧縮壁材７の上端と、上部ランナー２の天板２ａの間には、隙間が生じ、一方、スライドスペーサ９の天板９ａ及び側板９b2と、上部ランナー２の天板２ａ及び側板２ｂとはそれぞれ当接するように、非圧縮壁材７の高さ、及びスライドスペーサ９の固定位置が設定される。
【００１７】
これら非圧縮性壁材７及び圧縮性壁材８を建物の構造体に建て込んでいくにあたり、隣合う壁材同士では、表裏が逆になるように、すなわち、図３に示すように、非圧縮性壁材７と圧縮性壁材８とが互い違いになるように、配置される。なお、その後、両側に耐火被覆および化粧板を兼ねるボード１１、ボード１２を金具等で固定する。
【００１８】
上記のように構築した複合間仕切壁１では、上階床スラブ下面側の上部ランナー２と複合間仕切壁１とは、非圧縮性壁材７の側面及びスライドスペーサ９を介して接触する。そのため、建物に振動が加わり構造体が歪み、複合間仕切壁１の上端と構造体との接触部に力がかかっても、スライドスペーサ９がスライドして、この部分が破壊されることを防止する。特に、本実施例では、スライドスペーサ９の天板９ａが上部ランナー２の天板２ａと接触しているために、垂直方向に移動する自由度を制限する一方、水平方向には自由にスライドするため、地震や交通振動によっても取り付け部が破損しにくい複合間仕切壁１を構築することができる。
【００１９】
また、スライドスペーサ９を用いて、圧縮性壁材８を非圧縮性壁材７に固定することができるために、これらを上部ランナー２に差し込む際は、非圧縮性壁材７と圧縮性壁材８を合わせた状態で、簡単に建物の構造体に立て込むことができ、施工効率を向上させることができる。
【００２０】
なお、建物の振動により、スライドスペーサ９が上部ランナー２との間で擦れて摩擦音を発生させる可能性がある。このため、フッ素樹脂テープをスライドスペーサ２に貼着し、または、テフロン板など挟むなどして、摩擦係数の小さい滑り部材を上部ランナー２とスライドスペーサ９との間に介在させれば、摩擦音の発生を防止することができる。
【００２１】
また、上記実施例においては、それぞれの非圧縮性壁材７毎にスライドスペーサ９を２つ用いて非圧縮性壁材７を固定したが、この数は非圧縮性壁材７の横幅等に応じて任意に選択できる。さらに、スライドスペーサ９を上部ランナー２のように横長に形成することにより、１つでまかなうことも可能である。
【００２２】
【発明の効果】
以上説明したように、本発明の複合間仕切壁の上部取付構造によっては、スライドスペーサにより、複合間仕切壁が建物の構造体下面に設けたランナーに対してスライドするために、地震や交通振動によって構造体が歪んでも、複合間仕切壁の上部にかかる力を逃がすことができ、同部分の破損を防止することができる。
【図面の簡単な説明】
【図１】複合間仕切壁を建物の上階床スラブ下面及び下階床スラブ間に取り付けた部分断面斜視図である。
【図２】実施例の複合間仕切壁の取り付け構造を示す複合間仕切壁上部の側断面図である。
【図３】図２のＡ−Ａ線における複合間仕切壁の平断面図である。
【図４】従来例の複合間仕切壁の、建物構造体に対する取付構造を示す説明図である。
【符号の説明】
１…複合間仕切壁、２…上部ランナー（ランナー）、２ａ…天板
２ｂ…側板（両側板）、３…下部ランナー、４…上階床スラブ下面（建物の構造体の下面）、５…下階床スラブ、７…圧縮性壁材、８…非圧縮性壁材、９…スライドスペーサ、９ａ…天板、９b1，９b2…側板（両側板）
【図１】
0003552808.tif 000002
【図２】
0003552808.tif 000003
【図３】
0003552808.tif 000004
【図４】
0003552808.tif 000005